(57)【要約】【課題】在宅療養中の療養者が、遠隔地からの療養状況の報告方法において、不慣れなコンピュータ端末機器の操作ミスを排除し、計測データの入力を簡便、且つ信頼性を高める入力装置の提供を目的とする。【解決手段】測定された生体計測データを一時記憶し、このデータを送信するための第１のＲＦＩＤ送受信部を備えた第１の生体計測機器が、嵌合する第１の嵌合凹部が形成された筐体と、測定された他の項目の生体計測データを一時記憶し、このデータを送信するための第２のＲＦＩＤ送受信部を備えた第２の生体計測機器を、嵌合させる前記第１の嵌合凹部内に形成された第２の嵌合凹部と、前記第２の嵌合凹部に対応する前記筐体内に収納された第３のＲＦＩＤ送受信部とを備え、前記第１若しくは第２の生体計測機器は、前記筐体の嵌合凹部にそれぞれ嵌合されたときに、前記第３のＲＦＩＤ送受信部が、対向する第１若しくは第２のＲＦＩＤ送受信部から前記生体計測データを受信することを特徴とする測定データ読み取り装置。【選択図】図１
2010110548.tif 000002
【特許請求の範囲】
【請求項１】
測定された生体計測データを一時記憶し、このデータを送信するための第１のＲＦＩＤ送受信部を備えた第１の生体計測機器が嵌合する第１の嵌合凹部を形成した筐体と、
測定された異なる種類の生体計測データを一時記憶し、このデータを送信するための第２のＲＦＩＤ送受信部を備えた第２の生体計測機器が嵌合する前記第１の嵌合凹部内に形成した第２の嵌合凹部と、
前記第２の嵌合凹部に対応する前記筐体内に収納された第３のＲＦＩＤ送受信部と、
を備え、
前記第１若しくは第２の生体計測機器は、前記筐体の嵌合凹部にそれぞれ嵌合されたときに、前記第３のＲＦＩＤ送受信部が、これに対向する第１若しくは第２のＲＦＩＤ送受信部から前記生体計測データを受信することを特徴とする測定データ読み取り装置。
【請求項２】
測定された生体計測データを一時記憶し、このデータを送信するための第１のＲＦＩＤ送受信部を備えた第１の生体計測機器が嵌合する嵌合凹部を形成した筐体と、
測定された異なる種類の生体計測データを一時記憶し、このデータを送信するための第２のＲＦＩＤ送受信部を備えた第２の生体計測機器を設置する位置範囲を、前記嵌合凹部内に指示する区画若しくは文言の表示部と、
前記区画若しくは文言の表示部の下部の前記筐体内に収納された第３のＲＦＩＤ送受信部と、
を備え、
前記第１若しくは第２の生体計測機器は、前記筐体の嵌合凹部若しくは表示部に、嵌合若しくは配されたときに、前記第３のＲＦＩＤ送受信部が、これに対向する第１若しくは第２のＲＦＩＤ送受信部から前記生体計測データを受信することを特徴とする測定データ読み取り装置。
【請求項３】
異なる種類の生体計測機器と、
前記生体計測機器を嵌合させる少なくも一つの嵌合凹部が形成した筐体を有する測定データ読み取り装置と、
前記測定データ読み取り装置の出力が入力され、インターネットに接続されるコンピュータと、により構成され、
前記測定データ読み取り装置は、請求項１または２記載の測定データ読み取り装置であることを特徴とするデータ読み取り・送信システム。
【発明の詳細な説明】
【技術分野】
【０００１】
本発明は、インターネットを利用した遠隔看護システムに関し、特に、遠隔地に住んでいる被看護者が、医療目的で家庭用医療計測機器により計測したデータを、自宅のコンピュータからインターネットを介して遠隔看護センタへ、簡単な操作で、且つ誤り無く読み取りを行い、送信する測定データ読み取り装置及びこれを用いたデータ読み取り・送信システムに関する。
【背景技術】
【０００２】
肺気腫、肺がん、膠原病肺などの慢性呼吸不全患者は、近年増加している。これ等の慢性呼吸不全患者に適用される在宅酸素療法（Home  Oxygen  Therapy：一般的にＨＯＴと略称する）においては、高齢で長期にわたる療養者が増加している。
【０００３】
このような在宅療養者は、それぞれ在宅で普段の生活を行いながら、高濃度酸素吸入療法を行うので、通常の生活における療養状況の報告は、インターネットを利用した遠隔看護システムが利用される。図６は、このような従来の遠隔看護システムを示しており、遠隔看護センタ５０に設置された遠隔看護サーバ５１は、在宅療養者宅６０に備えられた通信端末６１とインターネット７０を介して接続されている。
【０００４】
通信端末６１は、モデム６２を介してインターネット７０に接続され、接続先の設定などにおいては、複雑なキー操作を要しないプログラムソフトが予めインストールされて、実行される。
【０００５】
在宅療養者宅６０には、例えば、血圧計６３ａや指尖オキシメータ６３ｂ、あるいは体温計(図示せず)が備えられ、それらに表示される測定結果データを、療養者自身若しくは家族が読み取って、通信端末６１に表示される指示に従って、通信端末６１のキーボードを操作して入力し、遠隔看護センタ５０の遠隔看護サーバ５１に送信する。これにより、日々の療養者の状況が、遠隔看護センタ５０に報告され、把握される。
【発明の開示】
【発明が解決しようとする課題】
【０００６】
しかしながら、このような遠隔看護システムにおいては、在宅看護の対象となる療養者が、各種の計測器による療養者自身の生体計測データを、インターネットを介して送信するために、不慣れなＩＴ（Ｉｎｆｏrｍａｔｉｏｎ  Ｔｅｃｈｎｏｌｏｇｙ）機器の操作を行う必要がある。特に高齢者にとっては、このようなデータ入力のためのキーボード操作は、その理解が困難で、煩わしく、操作ミスも生じ易いという問題があった。
【０００７】
本発明は、上記のような問題点に鑑みて成されたもので、簡便な操作で、操作ミスも生じないデータ入力をおこなうデータ読み取り・送信システムを提供することを目的とする。
【課題を解決するための手段】
【０００８】
上記の目的を達成するために、本発明の請求項１記載の測定データ読み取り装置は、測定された生体計測データを一時記憶し、このデータを送信するための第１のＲＦＩＤ送受信部を備えた第１の生体計測機器が嵌合する第１の嵌合凹部を形成した筐体と、測定された異なる種類の生体計測データを一時記憶し、このデータを送信するための第２のＲＦＩＤ送受信部を備えた第２の生体計測機器が嵌合する前記第１の嵌合凹部内に形成された第２の嵌合凹部と、前記第２の嵌合凹部に対応する前記筐体内に収納された第３のＲＦＩＤ送受信部とを備え、前記第１若しくは第２の生体計測機器は、前記筐体の嵌合凹部にそれぞれ嵌合されたときに、前記第３のＲＦＩＤ送受信部が、これに対向する第１若しくは第２のＲＦＩＤ送受信部から前記生体計測データを受信することを特徴とするものである。
【０００９】
また、上記の目的を達成するために、本発明の請求項2記載の測定データ読み取り装置は、測定された生体計測データを一時記憶し、このデータを送信するための第１のＲＦＩＤ送受信部を備えた第１の生体計測機器が嵌合する嵌合凹部を形成した筐体と、測定された他の項目の生体計測データを一時記憶し、このデータを送信するための第２のＲＦＩＤ送受信部を備えた第２の生体計測機器を設置する位置範囲を、前記嵌合凹部内に指示する区画若しくは文言の表示部と、前記区画若しくは文言の表示部の下部の前記筐体内に収納された第３のＲＦＩＤ送受信部とを備え、前記第１若しくは第２の生体計測機器は、前記筐体の嵌合凹部若しくは表示部に、嵌合若しくは配されたときに、前記第３のＲＦＩＤ送受信部が、これに対向する第１若しくは第２のＲＦＩＤ送受信部から前記生体計測データを受信することを特徴とするものである。
【００１０】
また、上記の目的を達成するために、本発明の請求項３記載のデータ読み取り・送信システムは、異なる種類の生体計測機器と、前記生体計測機器を嵌合させる少なくも一つの嵌合凹部が形成された筐体を有する前記測定データ読み取り装置と、この測定データ読み取り装置の出力が入力され、インターネットに接続されるコンピュータとにより構成されることを特徴とするものである。
【発明の効果】
【００１１】
本発明によれば、予め生体計測を行った生体計測機器を、測定データ読み取り装置、若しくはデータ読み取り・送信システムを構成する測定データ読み取り装置の筐体に設けた嵌合凹部、若しくは位置表示部に置くだけで、その生体計測機器による測定結果が在宅の被看護者宅に設置した連絡用端末ＰＣ(パーソナルコンピュータ)に読込まれて、操作ミスや操作不可を生じさせるおそれのあるコンピュータ端末の操作を殆ど行うこと無く、且つ簡便に実行することができる。
【００１２】
また、本発明によれば、在宅看護療養を管理する遠隔看護センタへ信頼性の高いデータの連絡が可能となり、さらに、在宅看護における使用機器のトラブル発生を抑え、安定な在宅療養を実施できる。
【発明を実施するための最良の形態】
【００１３】
以下、本発明の実施形態について、図面により詳細に説明する。
【００１４】
図１は、データ読み取り・送信システム１の構成図である。データ読み取り・送信システム１は、生体情報を計測する生体計測機器１４、及びインターネット接続されたパーソナルコンピュータ１１とを有する遠隔看護システムにおける、計測結果を読取る測定データ読み取り装置１２と、この測定データ読み取り装置１２の読み取った測定結果を遠隔看護センタへ送信するパーソナルコンピュータ１１とにより構成される。
【００１５】
データ読み取り・送信システム１は、生体計測機器１４として、例えば、自動血圧計１４ａおよび指尖オキシメータ１４ｂを備えている。さらに、データ読み取り・送信システム１は、この生体計測機器１４ａ、１４ｂが測定した在宅療養者の計測結果データを、ＲＦＩＤによりデータを読み取る測定データ読み取り装置１２と、この測定データ読み取り装置１２の出力データが供給されるＰＣ（パーソナルコンピュータ）１１への接続ケーブルであるＵＳＢケーブル１２３とＵＳＢコネクタ１２４とを具備して、ＰＣ１１へ接続される。また、このＰＣ１１には、インターネットを介して遠隔看護センタ５０の遠隔看護サーバ５１とデータの遣り取りを行うためにモデム６２（図６参照）が一般的に接続される。
【００１６】
図２は、本発明の測定データ読み取り装置１２の実施形態を示す。図２（ａ）は、本発明における測定データ読み取り装置１２の一実施例であり、その構成を示す図である。
【００１７】
本実施形態の測定データ読み取り装置１２は、箱形の筐体１２０の上面に、図２（ｂ）に示す形態の大きい第１の生体計測機器である、例えば自動血圧計１４ａが嵌合される第１の嵌合凹部１２１が形成される。さらに、この第１の嵌合凹部１２１内の一部に、図２（ｃ）に示す形態の小さい第２の生体計測機器である、例えば指尖オキシメータ１４ｂが嵌合される第２の嵌合凹部１２２が、形成されている。そして、第２の嵌合凹部１２２の下には第１のＲＦＩＤ送受信部１４３が埋設されている。この埋設された第１のＲＦＩＤ送受信部１４３の出力には、その受信したデータ信号を、療養者宅端末であるＰＣ１１に送信するＵＳＢケーブル１２３及びＵＳＢコネクタ１２４を具備して構成される。
【００１８】
また、図２（ｂ）に示すように、自動血圧計１４ａの背部には第２のＲＦＩＤ送受信部１４１ａが内蔵されている。また、形態の小さい指尖オキシメータ１４ｂの背部にも同図（ｃ）に示すように第３のＲＦＩＤ送受信部１４１ｂが内蔵されるか、若しくは、図４（ｂ）の左に示すように、指尖オキシメータ１４ｂの背部にＲＦＩＤ送受信部１４１ｂが外付けで装備される。
【００１９】
図３は、本発明の実施形態の測定データ読み取り装置１２に、各生体計測機器を嵌合させる凹部１２１、１２２と生体計測機器１４ａ、１４ｂの設置の様子を模式的に示す。同図（ａ）は、第１の嵌合凹部１２１、第２の嵌合凹部１２２それぞれに、いずれの生体計測機器１４ａ、１４ｂも設置していない状態の測定データ読み取り装置１２の凹部１２１及び１２２を示す模式図である。同図（ｂ）は、第１の嵌合凹部１２１に自動血圧計１４ａを設置した場合を、同図（ｃ）は、第２の嵌合凹部１２２に指尖オキシメータ１４ｂを設置した場合を、それぞれ示す模式図である。
【００２０】
次に、各生体計測機器１４に備えるＲＦＩＤ送受信部１４１、及び測定読み取り装置１２設けるにＲＦＩＤ送受信部１４３の構成について、図４により説明する。
【００２１】
図４（ａ）は、生体計測機器１４である自動血圧計１４ａの測定回路の構成、及びこれによる計測結果を送信する第２のＲＦＩＤ送受信部１４１ａの構成を示すブロック図である。また、同図（ｂ）には、指尖オキシメータ１４ｂの背部に第３のＲＦＩＤ送受信部１４１ｂを追加構成した場合の外付けＲＦＩＤ送受信部１４２、及びＲＦＩＤ送受信部１４１ｂの構成を示す。
【００２２】
さらに、同図（ｃ）は、測定データ読み取り装置１２に内蔵される第１のＲＦＩＤ送受信部１４３の構成を示すブロック図である。
【００２３】
第２のＲＦＩＤ送受信部１４１ａ、及び第３のＲＦＩＤ送受信部１４１ｂは、図４（ａ）及び（ｂ）に示すように、同一構成であり、計測結果のデジタルデータを処理するＲＦＩＤマイコン部１３１ａ、計測結果データをＲＦ信号で出力するＲＦ送受信モジュール１３１ｂ、ＣＰＵモード制御部１３１ｃ、アンテナ１３１ｄ、および電源部１３１ｅの各ブロックから構成されている。この第２のＲＦＩＤ送受信部１４１ａ若しくは第３のＲＦＩＤ送受信部１４１ｂは、それぞれ自動血圧計１４ａ若しくは指尖オキシメータ１４ｂによる血圧値若しくは血液中の酸素濃度などの測定データを高周波信号に変換して、それぞれのアンテナ１３１ｄから送出する。
【００２４】
第２のＲＦＩＤ送受信部１４１ａ若しくは第３のＲＦＩＤ送受信部１４１ｂから送出された高周波信号は、図４（ｃ）に示す測定データ読み取り装置１２に内蔵される第１のＲＦＩＤ送受信部１４３のアンテナ１２２ｆに受信される。
【００２５】
このアンテナ１２２ｆを有する測定データ読み取り装置１２に内蔵される第１のＲＦＩＤ送受信部１４３では、図４（ｃ）に示すように、生体計測機器１４のＲＦＩＤ送受信部１４１ａ若しくは１４１ｂから無線電波で送られてくる計測結果データを受信するアンテナ１２２ｆ及びそのインピーダンスマッチング回路１２２ｅ、無線電波信号を増幅するアナログ増幅回路１２２ｄ、電波信号をデジタルのデータ信号に復調するＲＦトランシーバ部１２２ｃ、データ信号を測定結果値に変換処理するデジタル処理部１２２ｂからなる回路構成により処理されて、デジタル情報、即ち生体計測機器１４による生体計測データを、ＵＳＢドライバ１２２ａを介してＵＳＢケーブル１２３により、療養者宅端末のＰＣ（パーソナルコンピュータ）１１に送り出す。
【００２６】
次に、この様に構成された本発明の実施形態である測定データ読み取り装置１２の操作及びその作動について説明する。
【００２７】
本発明の実施形態の測定データ読み取り装置１２を有する在宅送信システム１は、図１に示すように構成されて、在宅の療養者が、例えば自動血圧計１４ａ及び指尖オキシメータ１４ｂなどのＲＦＩＤ送受信部を装備する生体計測機器により、予め療養者自身の生体データ測定を実施しておく。
【００２８】
予め生体データ計測を実施する生体計測機器１４の、例えば、自動血圧計１４ａ若しくは指尖オキシメータ１４ｂには、図４（ｂ）の左側の構成ブロック図に示すように、計測データを一時的に記憶する測定データメモリ部１４ｅを具備している。
【００２９】
この測定データメモリ部１４ｅにより記憶される測定データは、例えば、自動血圧計１４ａの測定結果データでは、最高血圧値、最低血圧値、心拍数の各数値データを、また指尖オキシメータ１４ｂでは、血中酸素の濃度若しくは飽和度、及び脈拍数を,一組にして、そのメモリ部の所定アドレスに記憶される。
【００３０】
この様に、予め生体計測を実施して、その計測結果データを記憶した後、自動血圧計１４ａ若しくは指尖オキシメータ１４ｂを、図３（ｂ）若しくは同図（ｃ）に示すように、療養者若しくはその介護者により、これ等の生体計測機器が適合する測定データ読み取り装置１２の第１若しくは第２の嵌合凹所に、この情報が保存された生体計測機器１４を、設置する。
【００３１】
したがって、測定データメモリ部を有する生体計測機器による本実施形態においては、測定と同時または直後に、生体計測機器１４を測定データ読み取り装置１２設定して測定データを遠隔看護センタ５０に送信する必要はなく、例えば、一日分あるいは数日分の測定データを纏めて、遠隔看護センタ５０へ報告することができる。
【００３２】
各体計測機器１４が、これらの嵌合凹所へ設置されると、図４（ａ）に示す自動血圧計１４ａの第２のＲＦＩＤ送受信部１４１ａ、若しくは同図（ｂ）に示す指尖オキシメータ１４ｂの第３のＲＦＩＤ送受信部１４１ｂが、同図（ｃ）に示す測定データ読み取り装置１２に内蔵される第１のＲＦＩＤ送受信部１４３に対向した位置に設定される。この設定により、測定データ読み取り装置１２の第１のＲＦＩＤ送受信部１４３から発信される読み取り開始信号に呼応して、生体計測機器１４の第２のＲＦＩＤ送受信部１４１ａ、若しくは第３のＲＦＩＤ送受信部１４１ｂにより、その測定データメモリ部１４ｅ（いずれの生体計測機器でも同様の回路構成に成っている）に一時的に記憶された計測結果データを、ＲＦＩＤマイコン部１３１ａの入力し、アンテナ１３１ｄから前記第１のＲＦＩＤ送受信部１４３へ向かって無線送信する。この送信は、同図（ｃ）に示す第１のＲＦＩＤ送受信部１４３のアンテナ１２２ｆにより受信され、そのデジタル処理部１２２ｂにおいてコンピュータ用デジタル信号に変換されて、ＰＣ１１へＵＳＢ接続するＵＳＢケーブル１２３を介して、ＰＣ１１に入力される。
【００３３】
このＰＣ１１には、ＵＳＢ端子に接続される測定データ読み取り装置１２のドライバーソフトおよびアプリーケーションソフトが予めインストールされており、測定データ読み取り装置１２から入力される情報は、所定の処理により、各生体計測機器１４ａ、１４ｂの測定結果データの読み取りの結果として、ＰＣ１１の表示画面に表示されると共に、ＰＣ１１の内部メモリの所定の格納部に記憶保存される。
【００３４】
さらに操作者である療養者、若しくは療養者を世話する介護者が、「確認」の指示をＰＣ１１に対し行うと、ルータ１３を介して接続するインターネットを通じて、これ等の測定結果値が、遠隔看護センタ５０の看護サーバ５１（図５参照）に連絡、報告される。
【００３５】
この在宅療養者端末のＰＣ１１は、一般的にキーボードを有するが、ＰＣの操作に不慣れな在宅療養者にも扱いやすいタッチパネル方式の入力操作手段を備えるものが好ましい。
【００３６】
本実施形態の測定データ読み取り装置１２によれば、生体計測機器の自動血圧計１４ａ若しくは指尖オキシメータ１４ｂをそれぞれの嵌合凹部に設置する操作は、電子機器やコンピュータ装置に不慣れな高齢者やその家族の介護支援者にとって、単純な操作方法で抵抗無く理解できる。
【００３７】
さらに、本実施形態のデータ読み取り・送信システムによれば、接続ケーブルにより在宅療養者端末ＰＣに接続して行う計測結果データの読み取り、保存、送信のシステム操作におけるそれぞれの処理が、各生体計測機器を嵌合凹部へ単に設置する操作、あるいは特定の指示ボタンを単に押す操作で実行できるので、コンピュータ操作に不慣れな高齢者やその家族が、療養状況の報告データを簡単に転送、保存できる。また、本実施形態の測定データ読み取り装置１２に設ける嵌合凹部は、第１のアンテナ及びＲＦＩＤ・送受信部１４３に対し、生体計測機器１４の第２のアンテナ及びＲＦＩＤ送受信部１４１ａ、若しくは第３のアンテナ及びＲＦＩＤ送受信部１４１ｂが、適正な至近距離の位置に、自動的に設置されて、生体計測機器１４の測定結果データを確実に無線送受信する設置位置の確保が安定にでき、遠隔看護センタ５０の看護サーバ５１へ送信する生体計測データの信頼性を格段に高めることができる。
【００３８】
図５は、本発明の測定データ読み取り装置における他の実施形態を示す斜視図である。この他の実施形態の測定データ読み取り装置においては、図２に示した指尖オキシメータ１４ｂが嵌め込まれる第２の嵌合凹部１２２に替えて、前記第１の嵌合凹部の内部に、その設置位置を示す区画線、若しくはパターン図、若しくは「ここに計測機器を置いてください。」のような文字による位置表示１２２ｐが施されている。
【００３９】
指尖オキシメータ１４ｂが配置される位置は、第１の嵌合凹部１２１内の周縁部であって、第１のＲＦＩＤアンテナ・送受信部１４３の設置位置に対応する位置であるため、指尖オキシメータ１４ｂの外周の一部を第１の嵌合凹部１２１内の周縁部に接触するように配置することができるため、位置合わせに特別な配慮をする必要がない。したがって、図２に示したように、指尖オキシメータ１４ｂが嵌め込まれる第２の嵌合凹部１２２を設ける必要がないため、測定データ読み取り装置１２の構造設計が容易になる。
【００４０】
本発明は、以上に説明した実施形態に限定されるものではなく、本発明の技術思想の範囲で種々の変形が可能である。たとえば、在宅療養者が使用する複数の生体計測機器１４にカレンダ・時計機能（図示せず）を具備して、療養者が計測を実施した日時情報を、測定結果データと共に、測定データメモリ部１４ｅに記憶するようにしてもよい。
【図面の簡単な説明】
【００４１】
【図１】本発明の測定データ読み取り装置が適用される遠隔看護システムにおける在宅送信システムの構成図。
【図２】本発明の実施形態の測定データ読み取り装置の構成図、及びこれに設置される生体計測機器の外観形態図。
【図３】実施形態の測定データ読み取り装置、及びこれに生体計測機器を設置した模式図。
【図４】測定データ読み取り装置に具備するアンテナ及びＲＦＩＤ送受信部、及び生体計測機器に具備するアンテナ及びＲＦＩＤ送受信部の回路構成ブロック図。
【図５】本発明の他の実施形態の測定データ読み取り装置の構成を示す模式図。
【図６】従来の在宅送信システムの構成を示す模式図。
【符号の説明】
【００４２】
１・・・在宅送信システム、
１１、６１・・・在宅療養者端末のＰＣ、
１２・・・測定データ読み取り装置、
１４・・・生体計測機器、
１４ａ、６３ａ・・・自動血圧計、
１４ｂ、６３ｂ・・・指尖オキシメータ、
１４e・・・測定データメモリ部、
１４ｄ・・・ＭＣＰＵ部、
５０・・・遠隔看護センタ、
５１・・・遠隔看護サーバ、
６０・・・在宅療養者宅、
６２・・・モデム、
７０・・・インターネット、
１２０・・・筐体、
１２１、１２２・・・嵌合凹部、
１２２ａ・・・ＵＳＢドライバ、
１２２ｂ・・・デジタル処理部、
１２２ｃ・・・ＲＦトランシーバ部、
１２２ｄ・・・アナログ増幅回路、
１２２ｅ・・・インピーダンスマッチング回路、
１２２ｆ・・・アンテナ、
１２２ｐ・・・文言若しくは区画の表示、
１２３・・・ＵＳＢケーブル、
１２４・・・ＵＳＢコネクタ、
１３１ａ・・・ＲＦＩＤマイコン部、
１３１ｂ・・・ＲＦ送受信モジュール、
１３１ｃ・・・ＣＰＵモード制御部、
１３１ｄ・・・アンテナ、
１３１ｅ・・・電源部、
１４１ａ、１４１ｂ、１４３・・・ＲＦＩＤ送受信部。
【図１】
2010110548.tif 000003
【図２】
2010110548.tif 000004
【図３】
2010110548.tif 000005
【図４】
2010110548.tif 000006
【図５】
2010110548.tif 000007
【図６】
2010110548.tif 000008